(57)【特許請求の範囲】
【請求項１】
リーダ・ライタ本体部と偏波切換え可能のアンテナを有し、送信信号を送出するリーダ・ライタと、前記送信信号をタグ情報で変調して前記リーダ・ライタに応答信号を返送するタグとを有し、
前記リーダ・ライタ本体部は、
複数のチャネル及び偏波方向から、使用するチャネル及び偏波方向を順次切換えて設定する設定手段と、
前記設定されるチャネル及び偏波方向毎に、前記アンテナを介して入力される受信信号から測定される干渉信号のレベルを判定する判定手段と、
前記送信信号と前記アンテナの偏波方向を、前記設定される偏波方向に切換える偏波切換え信号を前記アンテナに出力する出力手段と、
前記判定手段による干渉信号のレベルの判定結果に応じて、前記設定手段により設定されているチャネル及び偏波方向を、前記送信信号を送出するチャネル及び偏波方向として決定する決定手段と、を有し、
前記決定されたチャネル及び偏波方向で、前記送信信号を送出し、前記タグからの応答信号を受信する
ことを特徴とするＲＦＩＤシステム。
【請求項２】
請求項１において、
前記偏波切換え可能のアンテナは、右旋円偏波と左旋円偏波との切換えが可能であり、
前記リーダ・ライタ本体部は、前記右旋円偏波と左旋円偏波のいずれかにおいて、受信される干渉信号のレベルが閾値以下のチャネルを検出することを特徴とするＲＦＩＤシステム。
【請求項３】
請求項１において、
前記偏波切換え可能のアンテナは、水平偏波と垂直偏波との切換えが可能であり、
前記リーダ・ライタ本体部は、前記水平偏波と垂直偏波のいずれかにおいて、受信される干渉信号のレベルが閾値以下のチャネルを検出することを特徴とするＲＦＩＤ システム。
【請求項４】
リーダ・ライタ本体部とそれぞれ固有の偏波のアンテナを複数有し、送信信号を送出するリーダ・ライタと、前記送信信号をタグ情報で変調して前記リーダ・ライタに応答信号を返送するタグとを有し、
前記リーダ・ライタ本体部は、
複数のチャネル及び前記複数のアンテナから、使用するチャネル及びアンテナを順次切換えて設定する設定手段と、
前記設定されるチャネル及びアンテナ毎に、前記設定されるアンテナを介して入力される受信信号から測定される干渉信号のレベルを判定する判定手段と、
前記干渉信号のレベルの判定結果に応じて、前記設定手段により設定されているチャネル及びアンテナを、前記送信信号を送出するチャネル及びアンテナとして決定する決定手段と、
前記送信信号を前記決定されるアンテナに出力する出力手段と、を有し、
前記決定されたチャネルで、決定されたアンテナにより、前記送信信号を送出し、前記タグからの応答信号を受信する
ことを特徴とするＲＦＩＤシステム。
【請求項５】
請求項１もしくは４において、
前記チャネルは、複数に分割された周波数帯のそれぞれの帯域であることを特徴とするＲＦＩＤシステム。
【請求項６】
請求項１もしくは４において、
前記タグは、パッチアンテナと、前記パッチアンテナに並列接続され、前記インダクタンス成分と共振するキャパシタンス成分を有するインタフェース部を有するＬＳＩで構成されていることを特徴とするＲＦＩＤシステム。
【請求項７】
リーダ・ライタ本体部と偏波切換え可能のアンテナを有し、送信信号を送出するリーダ・ライタと、前記送信信号をタグ情報で変調して前記リーダ・ライタに応答信号を返送するタグとを有するＲＦＩＤシステムにおけるキャリアセンス方法であって、
前記リーダ・ライタのリーダ・ライタ本体部において、
複数のチャネル及び偏波方向から、使用するチャネル及び偏波方向を順次切換え設定し、
前記設定されるチャネル及び偏波方向毎に、前記アンテナを介して入力される受信信号から測定される干渉信号のレベルを判定し、
前記送信信号と前記アンテナの偏波方向を、前記設定される偏波方向に切換える偏波切換え信号を前記アンテナに出力し、
前記干渉信号のレベルの判定結果に応じて、前記設定されているチャネル及び偏波方向を、前記送信信号を送出するチャネル及び偏波方向として決定する
ことを特徴とするＲＦＩＤシステムにおけるキャリアセンス方法。
【請求項８】
リーダ・ライタ本体部とそれぞれ異なる偏波方向が設定された複数のアンテナを有し、送信信号を送出するリーダ・ライタと、前記送信信号をタグ情報で変調して前記リーダ・ライタに応答信号を返送するタグとをするＲＦＩＤシステムにおけるキャリアセンス方法であって、
前記リーダ・ライタのリーダ・ライタ本体部において、
複数のチャネル及び前記複数のアンテナから使用するチャネル及びアンテナを順次切換え、
前記設定されるチャネル及びアンテナ毎に、前記設定されるアンテナを介して入力される受信信号から測定される干渉信号のレベルを判定し、
前記干渉信号のレベルの判定結果に応じて、前記設定されているチャネル及びアンテナを、前記送信信号を送出するチャネル及びアンテナとして決定し、
前記送信信号を前記決定されるアンテナに出力し、
前記決定されたチャネルで、前記決定されたアンテナにより、前記送信信号を送出し、前記タグからの応答信号を受信する
ことを特徴とするＲＦＩＤシステムにおけるキャリアセンス方法。
【請求項９】
リーダ・ライタ本体部と偏波切換え可能のアンテナを有し、送信信号をタグに向けて送出するＲＦＩＤ システムにおけるリーダ・ライタであって、
複数のチャネル及び偏波方向から、使用するチャネル及び偏波方向を順次切換えて設定する手段と、
前記設定されるチャネル及び偏波方向毎に、前記アンテナを介して入力される受信信号から測定される干渉信号のレベルを判定する判定手段と、
前記送信信号と前記アンテナの偏波方向を、前記設定される偏波方向に切換える偏波切換え信号を前記アンテナに出力する出力手段と、
前記干渉信号のレベルの判定結果に応じて、前記設定手段により設定されているチャネル及び偏波方向を、前記送信信号を送出するチャネル及び偏波方向として決定する決定手段と、を有する
ことを特徴とするリーダ・ライタ。
【請求項１０】
リーダ・ライタ本体部とそれぞれ固有の偏波のアンテナを複数有し、送信信号をタグに向けて送出するＲＦＩＤ システムにおけるリーダ・ライタであって、
前記リーダ・ライタ本体部は、
複数のチャネル及び前記複数のアンテナから、使用するチャネル及びアンテナを順次切換えて設定する手段と、
前記設定されるチャネル及びアンテナ毎に、前記設定されるアンテナを介して入力される受信信号から測定される干渉信号のレベルを判定する判定手段と、
前記干渉信号のレベルの判定結果に応じて、前記設定手段により設定されているチャネル及びアンテナを、前記送信信号を送出するチャネル及びアンテナとして決定する決定手段と、
前記送信信号を前記決定されるアンテナに出力する出力手段と、を有し、
前記決定されたチャネルで、決定されたアンテナにより、前記送信信号を送出し、前記タグからの応答信号を受信する
ことを特徴とするリーダ・ライタ。
【発明の詳細な説明】
【技術分野】
【０００１】
本発明は，無線周波数ＩＤ（ＲＦＩＤ：Ｒｄｉｏ  Ｆｒｅｑｕｅｎｃｙ  Ｉｄｅｎｔｉｆｉｃａｔｉｏｎ）キャリアセンス方法及び，これを用いるＲＦＩＤリーダ・ライタとＲＦＩＤシステムに関する。
【背景技術】
【０００２】
近年，タグに記録されたＩＤ情報の読み取りに，タグとの電磁結合を利用して読み取りを行うシステム，あるいはタグ情報を，無線周波数を用いて読み取りを行うＲＦＩＤシステムが開発運用されている。【０００３】
後者の無線周波数を用いて読み取りを行うＲＦＩＤシステムについて，一例としてヨーロッパ標準がＥＴＳＩ(European Telecommunications standards institute)により提示されている（非特許文献１）。かかる非特許文献１では，最大２Ｗまでの電力で８６５ＭＨｚ〜８６８ＭＨｚ帯を用いるＲＦＩＤシステムの使用が提示されている。【０００４】
ここで，ＲＦＩＤシステムとして，複数のリーダ・ライタが近接して運用される場合がある。図１は，かかる状態例を説明する図である。【０００５】
図１において，それぞれのリーダ・ライタ＃１（＃２）が送信する信号が、他のリーダ・ライタ＃２（＃１）に対する干渉３となり、リーダ・ライタ＃１，＃２の受信性能が劣化するという問題がある。かかる問題に対処すべく，干渉３による影響を低減するために送信を行う前にキャリアセンスを行って、他のリーダ・ライタ＃２（＃１）に使用されていない周波数チャネルをサーチする。そして，空きチャネルがあればこれを使用し、無ければ空きチャネルが見つかるまで待つという方法が採用されている。【０００６】
すなわち，図２は，かかるキャリアセンスによる方法を説明する図であり，図１における個々のリーダ・ライタにおけるタグ情報の読み取り動作フローである。【０００７】
図２に従うと，それぞれのリーダ・ライタ＃１，＃２は，リーダ・ライタ本体部１ａと，アンテナ１ｂから構成されている。【０００８】
先ず，リーダ・ライタ本体部１ａで初期チャネル（周波数帯域）を設定し（ステップＳ１），設定した初期チャネルにおけるアンテナ１ｂで受信されるキャリアのレベルを，干渉信号として側定する（ステップＳ２）。干渉信号のレベルが，閾値以上であれば（ステップＳ３，Ｎ），当該チャネルは使用できないので，他のチャネルにおける干渉レベルを測定対象とする。すなわち，既に全チャネルの測定が行われたかを判断し，測定が行われていないチャネルがあれば（ステップＳ４，Ｎ），順次チャネルを切換え（ステップＳ５），同様の干渉レベル測定（ステップＳ２）に戻る。【０００９】
既に全チャネルの測定が行われている場合（ステップＳ４，Ｙ）は，ランダムに待ち時間を設定し（ステップＳ６），設定された待ち時間経過後に再び初期チャネル設定（ステップＳ１）に戻り，上記処理を繰り返す。【００１０】
さらに，上記干渉レベル測定（ステップＳ２）において，干渉レベルが閾値以下であれば（ステップＳ３，Ｙ），干渉レベルが閾値以下であるチャネルを決定し（ステップＳ７），コマンド信号を送信する（ステップＳ８）。【００１１】
図３は，リーダ・ライタ＃１（＃２）のアンテナ１ｂから放射されるコマンド信号とタグ２ａ（２ｂ）からの応答信号を説明する図である。図３（Ａ）に示すように，リーダ・ライタ＃１，＃２は，無変調の継続波ＣＷを送信し，この無変調の継続波ＣＷをコマンド信号により変調して例えば，アンテナ１ｂにより，例えば，固定した右旋円偏波により送信する。【００１２】
タグ２ａ，２ｂは，対応するリーダ・ライタ＃１，＃２からのコマンド信号を受信すると，タグの付属する物品の識別情報（ＩＤ）を含む特性情報をタグ情報として無変調の継続搬送波ＣＷを変調して応答する（ステップＳ９：図３（Ｂ）参照）。リーダ・ライタ＃１，＃２は，この応答信号を受信し，通信を終了する（ステップＳ１０）。【００１３】
また，別の方法として、制御装置が複数のリーダ・ライタ＃１，＃２を集中制御し、それぞれのリーダ・ライタの送信タイミングを制御する方法などが用いられている。
【非特許文献１】Draft ETSI EN 302 208-1V1.1.1(2003-12)
【発明の開示】
【発明が解決しようとする課題】
【００１４】
上記のように，キャリアセンスを行って、他のリーダ・ライタに使用されていない周波数チャネルをサーチし、空きチャネルがあればこれを使用するという図２のフローに従う，前者の方式は，リーダ・ライタ数が多いと待ち時間が長くなるという問題がある。また，制御装置により集中制御するという後者の方法はリーダ・ライタ数が多くなると、割り当てられる通信時間が短くなるという問題がある。【００１５】
したがって，本発明の目的は，ＲＦＩＤシステムにおいて、複数のリーダ・ライタが存在する場合であっても，それぞれのリーダ・ライタの送信タイミング待ち時間が多くなる，あるいは割り当てられる通信時間が短くなるという問題をなくし，且つ複数のリーダ・ライタが近接する場合に発生するお互いの干渉の影響を低減することを目的とする。
【課題を解決するための手段】
【００１６】
上記課題を達成するＲＦＩＤシステムは，第１の態様として，リーダ・ライタ本体部と偏波切換え可能のアンテナを有し，継続搬送波を送出するリーダ・ライタと，前記継続搬送波をタグ情報で変調して前記リーダ・ライタに応答信号を返送するタグとを有し，前記リーダ・ライタ本体部は，受信される干渉信号のレベルを判定して前記干渉信号のレベルを閾値以下とするチャネル及び偏波方向を決定し，前記決定されたチャネル及び偏波方向で，前記タグからの応答信号を受信することを特徴とする。【００１７】
上記課題を達成するＲＦＩＤシステムは，第２の態様として，その第１の態様において，前記偏波切換え可能のアンテナは，右旋円偏波と左旋円偏波との切換えが可能であり，前記リーダ・ライタ本体部は，前記右旋円偏波と左旋円偏波のいずれかにおいて，受信される干渉信号のレベルが閾値以下のチャネルを検出することを特徴とする。【００１８】
上記課題を達成するＲＦＩＤシステムは，第３の態様として，その第１の態様において，前記偏波切換え可能のアンテナは，水平偏波と垂直偏波との切換えが可能であり，
前記リーダ・ライタ本体部は，前記水平偏波と垂直偏波のいずれかにおいて，受信される干渉信号のレベルが閾値以下のチャネルを検出することを特徴とする。【００１９】
上記課題を達成するＲＦＩＤシステムは，第４の態様として，リーダ・ライタ本体部とそれぞれ固有の偏波のアンテナを複数有し，継続搬送波を送出するリーダ・ライタと，前記継続搬送波をタグ情報で変調して前記リーダ・ライタに応答信号を返送するタグとを有し，前記リーダ・ライタ本体部は，前記複数のチャネルのそれぞれについて前記複数のアンテナのそれぞれで受信される干渉信号のレベルを判定し，前記判定された干渉信号のレベルを閾値以下とする空きチャネル及びアンテナを決定し，前記決定されたチャネルで，決定されたアンテナにより前記タグからの応答信号を受信することを特徴とする。【００２０】
上記課題を達成するＲＦＩＤシステムは，第５の態様として，その第１乃至４の態様のいずれかにおいて，前記チャネルは，複数に分割された周波数帯のそれぞれの帯域であることを特徴とする。【００２１】
上記課題を達成するＲＦＩＤシステムは，第６の態様として，その第１乃至４の態様のいずれかにおいて，前記タグは，パッチアンテナと，前記パッチアンテナに並列接続され，前記インダクタンス成分と共振するキャパシタンス成分を有するインタフェース部を有するＬＳＩで構成されていることを特徴とするＲＦＩＤシステム。【００２２】
上記課題を達成するＲＦＩＤ システムにおけるキャリアセンス方法は，その第１の態様として，リーダ・ライタ本体部と偏波切換え可能のアンテナを有し，継続搬送波を送出するリーダ・ライタと，前記継続搬送波をタグ情報で変調して前記リーダ・ライタに応答信号を返送するタグとをするＲＦＩＤ
システムにおけるキャリアセンス方法であって，
前記リーダ・ライタにおいて，前記アンテナの，切換え可能の全ての偏波について，特定のチャネルで順次に前記干渉信号レベルを測定し，前記測定される干渉信号レベルが閾値以上の時，前記特定のチャネルを他のチャネルに切換えて前記干渉信号レベルを測定し，
前記測定された干渉信号レベルが，閾値を超えないチャネル及び偏波方向を決定し，前記決定されたチャネル及びアンテナの偏波方向で，前記タグから返送される，前記タグ情報で変調された継続搬送波を受信するように設定することを特徴とするＲＦＩＤシステムにおける。【００２３】
上記課題を達成するＲＦＩＤ システムにおけるキャリアセンス方法は，その第２の態様として，リーダ・ライタ本体部とそれぞれ異なる偏波方向が設定された複数のアンテナを有し，継続搬送波を送出するリーダ・ライタと，前記継続搬送波をタグ情報で変調して前記リーダ・ライタに応答信号を返送するタグとをするＲＦＩＤシステムにおけるキャリアセンス方法であって，  前記リーダ・ライタにおいて，前記複数のアンテナのそれぞれの偏波について，特定のチャネルで順次に前記干渉信号レベルを測定し，前記測定される干渉信号レベルが閾値以上の時，前記特定のチャネルを他のチャネルに切換えて前記干渉信号レベルを測定し，前記測定された干渉信号レベルが，閾値を超えないチャネル及び偏波方向に設定されたアンテナを決定し，前記決定されたチャネル及びアンテナで，前記タグから返送される，前記タグ情報で変調された継続搬送波を受信するように設定することを特徴とする。【００２４】
上記課題を達成するリーダ・ライタの第１の態様は，リーダ・ライタ本体部と偏波切換え可能のアンテナを有し，継続搬送波をタグに向けて送出するＲＦＩＤ
システムにおけるリーダ・ライタであって，受信される干渉信号のレベルを判定して前記干渉信号のレベルを閾値以下とするチャネル及び前記アンテナの偏波方向を決定し，前記決定されたチャネル及び偏波方向で，前記継続搬送波をタグ情報で変調して生成され，前記タグから返送される応答信号を受信することを特徴とする。【００２５】
上記課題を達成するリーダ・ライタの第２の態様は，リーダ・ライタ本体部とそれぞれ固有の偏波のアンテナを複数有し，継続搬送波をタグに向けて送出するＲＦＩＤ
システムにおけるリーダ・ライタであって，前記リーダ・ライタ本体部は，前記複数のチャネルのそれぞれについて前記複数のアンテナのそれぞれで受信される干渉信号のレベルを判定し，前記判定された干渉信号のレベルを閾値以下とする空きチャネル及びアンテナを決定し，前記決定されたチャネルで，決定されたアンテナにより，前記継続搬送波をタグ情報で変調して生成され，前記タグから返送される応答信号を受信することを特徴とする。【００２６】
本発明の特徴は，以下に図面に従い説明される発明を実施するための最良の形態から更に明らかになる。
【発明の効果】
【００２７】
本発明により，空きチャネルが検出される確率が高くなると共に、リーダ・ライタ間の干渉の影響を低減することが可能となる。
【図面の簡単な説明】
【００２８】
【図１】ＲＦＩＤシステムとして，複数のリーダ・ライタが近接して運用される場合の状態例を説明する図である。
【図２】キャリアセンスによる空きチャネル検出の方法を説明する図である。
【図３】リーダ・ライタ＃１（＃２）のアンテナ１ｂから放射されるコマンド信号とタグ２ａ（２ｂ）からの応答信号を説明する図である。
【図４】ＲＦＩＤシステムとして，複数のリーダ・ライタ＃１，＃２が近接して運用される場合における本発明の特徴を説明する図である。
【図５】本発明が適用されるリーダ・ライタの一構成例概念図である。
【図６】別のリーダ・ライタの構成例概念図である。
【図７】タグ２ａ（２ｂ）の実施例概念ブロック図である。
【図８】リーダ・ライタ及びタグの構成を前提とする本発明に従う一実施例動作フローである。
【図９】リーダ・ライタ＃１（＃２）のアンテナ１ｂから放射されるコマンド信号とタグ２ａ（２ｂ）からの応答信号を説明する図である。
【図１０】図８の実施例フローにより決定されるチャネルＣｈ１〜Ｃｈ４と偏波方向１〜ｎの関係を示す図である。
【図１１】それぞれ特定の偏波方向が設定された複数のアンテナを用いる実施例を示す図である。
【符号の説明】
【００２９】
＃１，＃２  リーダ・ライタ
１ａ        リーダ・ライタ本体
１ｂ        アンテナ
２ａ，２ｂ  タグ
３          干渉
１０        アンテナ素子
２０        偏波方向制御部
３０        パッチアンテナ
３１        ＬＳＩ チップ
【発明を実施するための最良の形態】
【００３０】
以下に図面に従い，本発明の実施の形態例を説明する。以下に説明される実施の形態例は，本発明の理解のためのものであり，本発明の技術的範囲がこれに限定されるものではない。【００３１】
図４は，ＲＦＩＤシステムとして，複数のリーダ・ライタ＃１，＃２が近接して運用される場合を示し，図１と対比される場合，本発明の特徴としてキャリアセンスの際に，リーダ・ライタのアンテナ１ｂの偏波方向を制御する機能４を有している。【００３２】
図５は，本発明が適用されるリーダ・ライタ＃１，＃２の一構成例概念図である。【００３３】
図５において，アンテナ１ｂは，アンテナ素子１０と偏波方向制御部２０を有している。図５に示される偏波方向制御部２０は，アンテナ素子１０の偏波方向を右旋円偏波と左旋円偏波とを切換える機能を有している。アンテナ素子１０は，直交する２つのダイポールアンテナから成り，水平方向ダイポールアンテナは，スイッチ１５に接続され，垂直方向ダイポールアンテナは，スイッチ１６に接続されている。【００３４】
リーダ・ライタ本体部１ａは，偏波方向制御部２０の送受信切換えスイッチ１４に送信信号ＴＸＳＩＧを送り，送受信切換えスイッチ１４から受信信号ＴＲＳＩＧを入力する。さらに，リーダ・ライタ本体部１ａは，偏波方向制御部２０のスイッチ制御部１１に偏波切換え信号ＰＷＳＷを送る。【００３５】
２つのハイブリッド回路１２，１３のそれぞれは，送信信号ＴＸＳＩＧを入力し，０°及び９０°移相した信号を出力する。スイッチ制御部１１は，リーダ・ライタ本体部１ａからの偏波切換え信号ＰＷＳＷに従い，切換えスイッチ１４，１５，１６を制御する。【００３６】
すなわち，リーダ・ライタ本体部１ａから右旋円偏波を指定する偏波切換え信号ＰＷＳＷがスイッチ制御部１１に送られると，スイッチ制御部１１は，スイッチ１４の出力端子ｏ1，スイッチ１５，１６への入力端子Ｉ1を有効とするようにスイッチ切換え信号をスイッチ１４，１５，１６に供給する。【００３７】
反対に，リーダ・ライタ＃１から左旋円偏波を指定する偏波切換え信号ＰＷＳＷがスイッチ制御部１１に送られると，スイッチ制御部１１は，スイッチ１４の出力端子ｏ2，スイッチ１５，１６への入力端子Ｉ2を有効とするようにスイッチ切換え信号をスイッチ１４，１５，１６に供給する。【００３８】
したがって，スイッチ１５から０°の移相信号がアンテナ１０の水平方向ダイポールアンテナ素子に供給され，スイッチ１６から９０°の移相信号がアンテナ１０の垂直方向ダイポールアンテナ素子に供給されると，右旋円偏波となる。反対に，スイッチ１５から９０°の移相信号がアンテナ１０の水平方向ダイポールアンテナ素子に供給され，スイッチ１６から０°の移相信号がアンテナ１０の垂直方向ダイポールアンテナ素子に供給されると，左旋円偏波となる。【００３９】
図６は，別のリーダ・ライタの構成例概念図であり，アンテナ１０の偏波方向を水平偏波と垂直偏波に切換え制御する機能を有している。【００４０】
図６において，図５の実施例と同様に，アンテナ１ｂは，アンテナ素子１０と偏波方向制御部２０を有している。リーダ・ライタ本体部１ａは，偏波方向制御部２０の送受信切換えスイッチ１４に送信信号ＴＸＳＩＧを送り，送受信切換えスイッチ１４から受信信号ＴＲＳＩＧを入力する。さらに，リーダ・ライタ本体部１ａは，偏波方向制御部２０のスイッチ制御部１１に水平及び垂直の偏波方向の切換え信号ＰＷＳＷを送る。【００４１】
リーダ・ライタ本体部１ａから水平偏波を指定する偏波切換え信号ＰＷＳＷがスイッチ制御部１１に送られると，スイッチ制御部１１は，スイッチ１４の出力端子ｏ1を有効としてアンテナ素子１０の水平方向ダイポールアンテナ素子に供給する。反対に，リーダ・ライタ本体部１ａから垂直偏波を指定する偏波切換え信号ＰＷＳＷがスイッチ制御部１１に送られると，スイッチ制御部１１は，スイッチ１４の出力端子ｏ2を有効としてアンテナ素子１０の垂直方向ダイポールアンテナ素子に供給する。【００４２】
このように，図６に示す実施例では，リーダ・ライタ本体部１ａから偏波切換え信号ＰＷＳＷに基づき，アンテナ１０の偏波方向を水平偏波又は，垂直偏波に切換え制御することが可能であり，図５に示す構成よりも簡易に構成できる。【００４３】
図７は，タグ２ａ（２ｂ）の実施例概念ブロック図である。アンテナ部３０と，ＬＳＩ チップ３１で構成される。アンテナ部３０は，一例としてパッチアンテナで構成され，等価回路としてインダクタンスＬを有している。ＬＳＩ
チップ３１は，インタフェース部にキャパシタンス成分Ｃを有している。【００４４】
アンテナ部３０とＬＳＩチップ３１のインタフェース部は並列接続されている。したがって，アンテナ部３０のインダクタンスＬとインタフェース部キャパシタンス成分Ｃとが共振関係に有れば，リーダ・ライタから送られる継続波ＣＷを受信し，最大電力でＬＳＩチップ３１の制御部ＣＯＮＴ側に供給することができる。【００４５】
ＬＳＩチップ３１の制御部ＣＯＮＴは，供給される電力により，記憶しているタグの付属する物品の識別情報を含む特性情報により継続波ＣＷを変調して，アンテナ部３０から固定した偏波方向（例えば，水平偏波）でリーダ・ライタ側に放出することができる。【００４６】
かかるリーダ・ライタ及びタグの構成を前提とする本発明に従う一実施例動作フローをして，図８に従い説明する。【００４７】
図８において，先ず，リーダ・ライタ本体部１ａで初期チャネル（周波数帯域）の設定（ステップＳ１）と，初期アンテナ偏波の設定（ステップＳ１１）を行う。いま，初期アンテナ偏波を右旋円偏波とすると，先に説明したように，図５の実施例において，スイッチ制御部１１は，スイッチ１４の出力端子ｏ1を有効とし，ハイブリッド回路１２の０°移相出力端子とスイッチ１５の入力端子Ｉ1を有効とする。同時に，ハイブリッド回路１２の９０°移相出力端子とスイッチ１６の入力端子Ｉ1を有効とする。【００４８】
このような設定において，アンテナ１０で受信されるキャリアのレベルを，干渉信号として側定する（ステップＳ２）。干渉信号のレベルが，閾値以上であれば（ステップＳ３，Ｎ），当該チャネルは使用できない。【００４９】
この時，チャネルを変えずに，未だ測定を行っていない偏波方向（この場合は，左旋円偏波方向）を判断し（ステップＳ１２），アンテナ偏波を左旋円偏波方向へ切換えを行う（ステップＳ１３）。このように，切換えられた偏波方向で，再度干渉レベル測定（ステップＳ２）以降の処理を継続する。【００５０】
このようにして，全偏波についての測定においても，干渉信号のレベルが閾値以上であれば（ステップＳ３，Ｎ），他のチャネルにおける干渉レベルを測定対象とする。すなわち，既に全チャネルの測定が行われたかを判断し，測定が行われていないチャネルがあれば（ステップＳ４，Ｎ），順次チャネルを切換え（ステップＳ５），同様の干渉レベル測定（ステップＳ２）に戻る。【００５１】
既に全チャネルの測定が行われている場合（ステップＳ４，Ｙ）は，ランダムに待ち時間を設定し（ステップＳ６），設定された待ち時間経過後に再び初期チャネル設定（ステップＳ１）に戻り，上記処理を繰り返す。【００５２】
さらに，上記干渉レベル測定（ステップＳ２）において，干渉レベルが閾値以下であれば（ステップＳ３，Ｙ），干渉レベルが閾値以下である使用チャネル及びアンテナ偏波方向を決定し（ステップＳ７），コマンド信号を送信する（ステップＳ８）。【００５３】
ここで，図９は，リーダ・ライタ＃１（＃２）のアンテナ１ｂから放射されるコマンド信号とタグ２ａ（２ｂ）からの応答信号を説明する図である。【００５４】
図９（Ａ）に示すように，リーダ・ライタ＃１，＃２は，決定された使用チャネル及びアンテナ偏波方向，例えば，右旋円偏波を用い，継続波ＣＷを，コマンド信号とその前後にプリアンブルPreとチェック信号ＣＲＣを有するフレーム信号で変調して送信する。【００５５】
タグ２ａ，２ｂは，対応するリーダ・ライタ＃１，＃２からの上記のコマンド信号を受信すると，図９（Ｂ）に示すように，タグの付属する物品の特性情報と識別情報をタグ情報として同様にプリアンブルPreとチェック信号ＣＲＣを前後に有するフレーム信号で継続波ＣＷを変調して，対応するリーダ・ライタ＃１，＃２側に反射する。【００５６】
リーダ・ライタ＃１，＃２は，この応答信号を受信し，通信を終了する（ステップＳ１０）。【００５７】
図１０は，上記図８の実施例フローにより決定されるチャネルＣｈ１〜Ｃｈ４と偏波方向１〜ｎの関係を示す図である。図１０において，白抜きの帯域は，干渉信号レベルが閾値以下であり，リーダ・ライタにおいて対応するチャネル（周波数帯域）と偏波が使用可能である。【００５８】
なお，上記説明において，リーダ・ライタは，一つのアンテナ１ｂを有して，当該アンテナの偏波方向を切換える構成を示したが，本発明の適用は，かかる構成に限定されない。すなわち，図１１に示すように，それぞれ特定の偏波方向が設定された複数のアンテナ１０１ｂ〜１０ｎｂをリーダ・ライタ本体１ａに接続し，リーダ・ライタ本体１ａにより設定すべき偏波に対応した特定のアンテナを有効とするように選択制御するように構成することも可能である。【００５９】
さらにまた，図１１において，複数のアンテナ１０１ｂ〜１０ｎｂのそれぞれを図５又は図６に示したように偏波方向を可変制御できる態様とすれば，より少ないアンテナで自由度を持って通信可能チャネルの探索を容易とすることができる。
【産業上の利用可能性】
【００６０】
上記に説明したように，従来方法では固定された偏波において，使用可能なチャネルのみがサーチされる構成であるのに対し，本発明においては，チャネルと偏波方向の組み合わせで，干渉信号レベルが閾値以下の状態がサーチされる。かかる構成の特徴から空きチャネルが検出される確率が高くなると共に、リーダ・ライタ間の干渉の影響を低減することが可能とするＲＦＩＤシステムが提供可能である。よって，本発明により産業上寄与するところ大である。
【図１】
0004336379.tif 000002
【図２】
0004336379.tif 000003
【図３】
0004336379.tif 000004
【図４】
0004336379.tif 000005
【図５】
0004336379.tif 000006
【図６】
0004336379.tif 000007
【図７】
0004336379.tif 000008
【図８】
0004336379.tif 000009
【図９】
0004336379.tif 000010
【図１０】
0004336379.tif 000011
【図１１】
0004336379.tif 000012